(57)【要約】【課題】画像を表示するとともに音声を出力する画像音声処理装置の利便性を向上させる技術を提供する。【解決手段】プロジェクター１００は、パーソナルコンピューター２００からキャプチャーした画像を投写表示するとともに、パーソナルコンピューター２００からキャプチャーした音声を出力することができる。また、プロジェクター１００は、パーソナルコンピューター２００からキャプチャーした画像を投写表示するとともに、音声再生装置３００から取得した音声信号に基づく音声を出力することもできる。【選択図】図１
2011128942.tif 000002
【特許請求の範囲】
【請求項１】
第１と第２の信号供給源から取得する信号に基づいて画像を表示するとともに音声を出力する画像音声処理装置であって、
第１の信号供給源から取得される第１の画像信号によって表される画像を表示する画像表示部と、
前記第１の信号供給源から前記第１の画像信号とともに取得される第１の音声信号と、前記第２の信号供給源から取得される第２の音声信号とのうちの一方によって表された音声を出力する音声出力部と、
前記画像表示部と前記音声出力部とを制御する制御部と、
を備え、
前記制御部は、前記画像表示部に前記第１の画像信号に基づく画像を表示させるとともに、前記音声出力部に前記第１の音声信号に基づく音声を出力させる第１の画像音声処理、または、前記画像表示部に前記第１の画像信号に基づく画像を表示させるとともに、前記音声出力部に前記第２の音声信号に基づく音声を出力させる第２の画像音声処理を選択的に実行する、画像音声処理装置。
【請求項２】
請求項１に記載の画像音声処理装置であって、さらに、
前記第１の音声信号が表す音声が無音であるか否かを判定する無音信号判定部を備え、
前記制御部は、前記無音信号判定部によって、前記第１の音声信号が表す音声が無音であると判定された場合に、前記第１の画像音声処理から前記第２の画像音声処理に切り替える、画像音声処理装置。
【請求項３】
請求項２に記載の画像音声処理装置であって、
前記無音信号判定部は、前記第１の音声信号から一定時間の継続的な無音の状態を検出した場合に、前記第１の音声信号が表す音声が無音であると判定する、画像音声処理装置。
【請求項４】
請求項２に記載の画像音声処理装置であって、
前記無音信号判定部は、前記第１の信号供給源から、前記第１の音声信号に関する音声情報を取得し、前記音声情報に基づいて、前記第１の音声信号が表す音声が無音であるか否かを判定する、画像音声処理装置。
【請求項５】
画像を表示するとともに音声を出力する画像音声処理システムであって、
請求項１ないし請求項４のいずれか一項に記載の画像音声処理装置と、
前記第１の信号供給源として前記画像音声処理装置に接続された情報処理装置と、
前記第２の信号供給源として前記画像音声処理装置に接続された音声処理装置と、
を備え、
前記情報処理装置は、
画像データに基づいて生成した画像を表示する画像表示部と、
音声データに基づいて生成した音声を出力する音声出力部と、
前記情報処理装置の前記画像表示部が表示する画像の画像データおよび前記情報処理装置の前記音声出力部が出力する音声の音声データをキャプチャーする画像音声キャプチャー部と、
前記画像音声キャプチャー部がキャプチャーした前記画像データと前記音声データとを表す画像信号と音声信号とを、前記第１の画像信号と前記第１の音声信号として、前記画像音声処理装置へと送信する信号送信部と、
を備える、画像音声処理システム。
【請求項６】
請求項５に記載の画像音声処理システムであって、
前記画像音声処理装置は、請求項４に記載の画像音声処理装置であり、
前記情報処理装置は、前記第１の音声信号が無音であるか否かを表す音声情報を前記画像音声処理装置へと送信する、画像音声処理システム。
【請求項７】
画像を表示するとともに音声を出力する画像音声処理装置の制御方法であって、
（ａ）第１の信号供給源から、画像を表す第１の画像信号とともに音声を表す第１の音声信号を取得する工程と、
（ｂ）第２の信号供給源から、音声を表す第２の音声信号を取得する工程と、
（ｃ）前記第１の画像信号に基づく画像を表示するとともに、前記第１の音声信号に基づく音声を出力する第１の画像音声処理、または、前記第１の画像信号に基づく画像を表示するとともに、前記第２の音声信号に基づく音声を出力する第２の画像音声処理を選択的に実行する工程と、
を備える、制御方法。
【発明の詳細な説明】
【技術分野】
【０００１】
この発明は、画像を表示するとともに音声を出力する画像音声処理装置に関する。
【背景技術】
【０００２】
画像を表示するとともに音声を出力する画像音声処理装置としては、例えば、プロジェクターが知られている。プロジェクターには、パーソナルコンピューターと接続されたときに、パーソナルコンピューターの表示画像をキャプチャーして投写スクリーンに投写表示するものがある（下記特許文献１等）。
【０００３】
ところで、パーソナルコンピューターからキャプチャーした画像や音声をプロジェクターを介して投写表示・音声出力する場合において、パーソナルコンピューターが、ほぼ無音の状態である場合がある。このような場合に、パーソナルコンピューターからのキャプチャー画像をプロジェクターに投写表示させるとともに、パーソナルコンピューターとは異なるソースから取得した音声をプロジェクターに出力させたいという要求があった。
【０００４】
こうした要求は、プロジェクターに限らず、画像音声処理装置において共通するものである。即ち、異なるソースからそれぞれ取得した画像信号と音声信号とを組み合わせた画像表示および音声出力を可能とすれば、画像音声処理装置の利便性を向上させることができる。しかし、これまでこうした要求に対して十分な工夫がなされてこなかったのが実情であった。
【先行技術文献】
【特許文献】
【０００５】
【特許文献１】特開２００７−２６４０７９号公報
【特許文献２】特開２００４−８８１９４号公報
【発明の概要】
【発明が解決しようとする課題】
【０００６】
本発明は、画像を表示するとともに音声を出力する画像音声処理装置の利便性を向上させる技術を提供することを目的とする。
【課題を解決するための手段】
【０００７】
本発明は、上述の課題の少なくとも一部を解決するためになされたものであり、以下の形態又は適用例として実現することが可能である。
【０００８】
［適用例１］
第１と第２の信号供給源から取得する信号に基づいて画像を表示するとともに音声を出力する画像音声処理装置であって、
前記第１の信号供給源から取得される第１の画像信号によって表される画像を表示する画像表示部と、
前記第１の信号供給源から前記第１の画像信号とともに取得される第１の音声信号と、前記第２の信号供給源から取得される第２の音声信号とのうちの一方によって表された音声を出力する音声出力部と、
前記画像表示部と前記音声出力部とを制御する制御部と、
を備え、
前記制御部は、前記画像表示部に前記第１の画像信号に基づく画像を表示させるとともに、前記音声出力部に前記第１の音声信号に基づく音声を出力させる第１の画像音声処理、または、前記画像表示部に前記第１の画像信号に基づく画像を表示させるとともに、前記音声出力部に前記第２の音声信号に基づく音声を出力させる第２の画像音声処理を選択的に実行する、画像音声処理装置。
この画像音声処理装置によれば、第１の信号供給源から取得した画像信号に基づく画像を表示しているときに、第１または第２の信号供給源から取得した音声信号に基づく音声出力を実行することができる。従って、異なる信号供給源からの画像信号と音声信号とを組み合わせて画像表示処理および音声出力処理を実行することも可能となり、画像音声処理装置の利便性を向上させることができる。
【０００９】
［適用例２］
適用例１に記載の画像音声処理装置であって、さらに、
前記第１の音声信号が表す音声が無音であるか否かを判定する無音信号判定部を備え、
前記制御部は、前記無音信号判定部によって、前記第１の音声信号が表す音声が無音であると判定された場合に、前記第１の画像音声処理から前記第２の画像音声処理に切り替える、画像音声処理装置。
この画像音声処理装置によれば、第１の信号供給源からの画像信号に基づいて画像を表示しているときに、第１の信号供給源からの音声信号が表す音声が無音である場合には、自動的に、第２の信号供給源からの音声信号に基づく音声出力を実行する。従って、無音のままの画像表示がなされることを抑制でき、画像音声処理装置の利便性をさらに向上させることができる。
【００１０】
［適用例３］
適用例２に記載の画像音声処理装置であって、
前記無音信号判定部は、前記第１の音声信号から一定時間の継続的な無音の状態を検出した場合に、前記第１の音声信号が表す音声が無音であると判定する、画像音声処理装置。
この画像音声処理装置によれば、第１の信号供給源からの音声信号が継続的に無音状態であるときに、自動的に第２の信号供給源からの音声信号に基づく音声出力が実行される。従って、無音のまま画像表示が継続されてしまうことを抑制できる。
【００１１】
［適用例４］
適用例２に記載の画像音声処理装置であって、
前記無音信号判定部は、前記第１の信号供給源から、前記第１の音声信号に関する音声情報を取得し、前記音声情報に基づいて、前記第１の音声信号が表す音声が無音であるか否かを判定する、画像音声処理装置。
この画像音声処理装置によれば、第１の信号供給源からの音声情報に基づいて、第１の信号供給源からの音声信号が無音であるか否かの判定を行うことができる。
【００１２】
［適用例５］
画像を表示するとともに音声を出力する画像音声処理システムであって、
適用例１ないし適用例４のいずれか一つに記載の画像音声処理装置と、
前記第１の信号供給源として前記画像音声処理装置に接続された情報処理装置と、
前記第２の信号供給源として前記画像音声処理装置に接続された音声処理装置と、
を備え、
前記情報処理装置は、
画像データに基づいて生成した画像を表示する画像表示部と、
音声データに基づいて生成した音声を出力する音声出力部と、
前記情報処理装置の前記画像表示部が表示する画像の画像データおよび前記情報処理装置の前記音声出力部が出力する音声の音声データをキャプチャーする画像音声キャプチャー部と、
前記画像音声キャプチャー部がキャプチャーした前記画像データと前記音声データとを表す画像信号と音声信号とを、前記第１の画像信号と前記第１の音声信号として、前記画像音声処理装置へと送信する信号送信部と、
を備える、画像音声処理システム。
この画像音声処理システムによれば、画像音声処理装置に、情報処理装置からキャプチャーした画像を表示させると同時に、音声処理装置から取得した音声信号に基づく音声を出力させることができる。即ち、この画像音声処理システムによれば、画像表示装置における情報処理装置からのキャプチャー画像の表示処理が、音声処理装置からの音声を付加することにより、より効果的に実行される。
【００１３】
［適用例６］
適用例５に記載の画像音声処理システムであって、
前記画像音声処理装置は、適用例４に記載の画像音声処理装置であり、
前記情報処理装置は、前記第１の音声信号が無音であるか否かを表す音声情報を前記画像音声処理装置へと送信する、画像音声処理システム。
この画像処理システムによれば、情報処理装置から送信された音声情報に基づいて情報処理装置が無音状態であると判定された場合には、情報処理装置からのキャプチャー画像の投写表示とともに、音声処理装置からの音声信号に基づく音声出力が実行される。従って、情報処理装置からのキャプチャー画像の表示処理が、無音のまま実行されることが抑制される。
【００１４】
［適用例７］
画像を表示するとともに音声を出力する画像音声処理装置の制御方法であって、
（ａ）第１の信号供給源から、画像を表す第１の画像信号とともに音声を表す第１の音声信号を取得する工程と、
（ｂ）第２の信号供給源から、音声を表す第２の音声信号を取得する工程と、
（ｃ）前記第１の画像信号に基づく画像を表示するとともに、前記第１の音声信号に基づく音声を出力する第１の画像音声処理、または、前記第１の画像信号に基づく画像を表示するとともに、前記第２の音声信号に基づく音声を出力する第２の画像音声処理を選択的に実行する工程と、
を備える、制御方法。
【００１５】
なお、本発明は、種々の形態で実現することが可能である。例えば、画像音声処理装置およびその制御方法、その画像音声処理装置を備えた画像音声処理システム、その装置または方法の機能を実現するためのコンピュータープログラム、そのコンピュータープログラムを記録した記録媒体等の形態で実現することができる。
【図面の簡単な説明】
【００１６】
【図１】画像音声処理システムの構成を示す概略図。
【図２】プロジェクターの内部構成を示すブロック図。
【図３】パーソナルコンピューターの内部構成を示すブロック図。
【図４】ＰＣ用データ転送プログラムの構成を説明するための説明図および転送データの構成を説明するための説明図。
【図５】画像音声処理システムにおいて実行される画像音声処理の処理手順を説明するための説明図。
【図６】第２実施例の画像音声処理システムにおけるＰＣ用データ転送プログラムの構成を説明するための説明図および転送データの構成を説明するための説明図。
【図７】第３実施例の画像音声処理システムにおけるパーソナルコンピューターの内部構成を示すブロック図と、再生データ作成プログラムの構成を説明するための説明図。
【図８】第３実施例において再生データ作成プログラムによって生成される再生データを説明するための説明図。
【図９】第４実施例におけるプロジェクターの内部構成を示すブロック図。
【発明を実施するための形態】
【００１７】
A．第１実施例：
図１は本発明の一実施例としての画像音声処理システムの構成を示す概略図である。この画像音声処理システム１０００は、プロジェクター１００と、パーソナルコンピューター（ＰＣ）２００と、音声再生装置３００とを備えている。画像音声処理システム１０００は、パーソナルコンピューター２００からキャプチャーした画像や音声を、プロジェクター１００を介して、投写スクリーン４００へ投写表示するとともに音声出力することが可能である。
【００１８】
また、画像音声処理システム１０００では、プロジェクター１００に、パーソナルコンピューター２００からキャプチャーした音声に換えて、音声再生装置３００から取得した音声信号に基づく音声を出力させることが可能である。なお、音声再生装置３００としては、例えば、ＣＤプレイヤーなどのオーディオ機器やマイクロフォンなど、接続された外部機器に音声信号を出力できる機器を採用することができる。
【００１９】
図２は、プロジェクター１００の内部構成を示すブロック図である。プロジェクター１００は、中央処理装置（ＣＰＵ；Central Processing Unit）１１０と、ＲＡＭ（Random Access Memory）１２０と、ＲＯＭ（Read Only Memory）１３０とを備える。また、プロジェクター１００は、ＵＳＢ（Universal Serial Bus）コントローラー１４０と、投写光学系駆動部１５１と、液晶パネル駆動部１５３と、音声出力部１５５とを備える。これらの各構成部１１０，１２０，１３０，１４０，１５１，１５３，１５５は、内部バス１０１を介して互いに接続されている。さらに、プロジェクター１００は、アナログ音声端子部１４３と、照明光学系１６１と、液晶パネル１６３と、投写光学系１６５と、スピーカー部１７０とを備える。
【００２０】
プロジェクター１００は、ＵＳＢケーブル２０１およびＵＳＢ接続端子２０２を介してパーソナルコンピューター２００と接続される。プロジェクター１００は、ＵＳＢコントローラー１４０の制御により、パーソナルコンピューター２００との間で、ＵＳＢ接続によるデータ転送を行い、投写表示および音声出力のための画像データや音声データを取得する。
【００２１】
なお、ＲＯＭ１３０には、パーソナルコンピューター２００からのデータ転送のためのＰＣ用データ転送プログラム１３２が予め格納されている。このＰＣ用データ転送プログラム１３２は、パーソナルコンピューター２００が接続されたときに、パーソナルコンピューター２００に読み込まれて実行される。ＰＣ用データ転送プログラム１３２については後述する。
【００２２】
また、プロジェクター１００は、音声ケーブル３０１およびアナログ音声端子部１４３を介して、音声再生装置３００と接続されている。プロジェクター１００は、音声再生装置３００からアナログ音声信号を取得する。
【００２３】
ここで、ＣＰＵ１１０は、ＲＯＭ１３０に予め格納されているプログラム（図示せず）をＲＡＭ１２０上に読み込み実行することにより、制御部１１２および映像音声処理部１１４として機能する。制御部１１２は、プロジェクター１００全体の制御を実行する。具体的には、プロジェクター１００内部におけるデータの流れや、投写光学系駆動部１５１や液晶パネル駆動部１５３、音声出力部１５５などの各構成部の制御を実行する。映像音声処理部１１４は、パーソナルコンピューター２００から送信された画像信号および音声信号から画像データおよび音声データを取得し、それぞれのデータについての画像補正処理や音声補正処理などの処理を実行する。
【００２４】
映像音声処理部１１４が処理した画像データは、液晶パネル駆動部１５３に送信される。液晶パネル駆動部１５３は、受信した画像データに基づき、そのパネル面に投写表示用の画像を形成する。ここで、液晶パネル１６３のパネル面は、照明光学系１６１からの照明光によって照射される。照明光学系１６１からの照明光は、液晶パネル１６３を透過する際に、液晶パネル１６３のパネル面に形成された画像に応じて変調される。変調された照明光は、投写光学系１６５を介して、投写スクリーン４００に投写される。なお、投写光学系１６５は、ズームレンズやフォーカスレンズ（図示せず）を有しており、投写光学系駆動部１５１が、制御部１１２の指示によってこれらを駆動することにより、投写画像のズーム状態やフォーカス状態が調整される。
【００２５】
一方、映像音声処理部１１４が処理した音声データは、音声出力部１５５に送信される。音声出力部１５５は、受信した音声データに基づいてスピーカー部１７０に音声を出力させる。ところで、前記したとおり、プロジェクター１００は、音声再生装置３００からアナログ音声信号の供給を受けることができる。音声出力部１５５は、制御部１１２からの指示により、パーソナルコンピューター２００からの音声データに基づく音声出力に換えて、音声再生装置３００からのアナログ音声信号に基づく音声をスピーカー部１７０に出力させることができる。このスピーカー部１７０から出力される出力音声の切替処理については後述する。
【００２６】
図３は、パーソナルコンピューター２００の内部構成を示すブロック図である。パーソナルコンピューター２００は、ユーザーの指示に応じて、画像データや音声データを始めとする各種のデータを処理することができる情報処理装置である。なお、本実施例のパーソナルコンピューター２００は、オペレーティングシステム（ＯＳ）として、Ｗｉｎｄｏｗｓ（登録商標）が搭載されているが、ＯＳとしては他のＯＳが搭載されるものとしても良い。
【００２７】
パーソナルコンピューター２００は、ＣＰＵ２１０と、ＲＡＭ２２０と、ＲＯＭ２３０と、ＵＳＢコントローラー２４０とを備える。また、パーソナルコンピューター２００は、画像表示部２５０と、音声出力部２６０と、操作部２７０とを備える。これらの各構成部２１０，２２０，２３０，２４０，２５０，２６０，２７０は、内部バス２０３を介して互いに接続されている。
【００２８】
ＣＰＵ２１０は、ＲＯＭ２３０や他の外部記憶デバイス（図示せず）から、ＲＡＭ２２０にプログラムを読み込み実行する。ＵＳＢコントローラー２４０は、ＵＳＢケーブル２０１およびＵＳＢ接続端子２０２を介して接続されるデバイスとの間におけるＵＳＢ接続によるデータ転送を制御する。画像表示部２５０は、液晶ディスプレイやＣＲＴモニターによって構成され、プログラムの実行結果など、ユーザーに対する情報を表示する。音声出力部２６０は、アンプやスピーカーを備え（図示せず）、ＣＰＵ２１０で実行されるＯＳや、各種のプログラムの指示に従って音声を出力する。操作部２７０は、例えば、キーボードやマウスによって構成され、パーソナルコンピューター２００に対するユーザーの指示を受け付ける。
【００２９】
図４（Ａ）は、パーソナルコンピューター２００で実行されるＰＣ用データ転送プログラム１３２の構成を説明するための説明図である。前記したとおり、パーソナルコンピューター２００は、プロジェクター１００に接続されたときに、プロジェクター１００のＲＯＭ１３０（図２）に格納されたＰＣ用データ転送プログラム１３２を読み込み、実行する。ＰＣ用データ転送プログラム１３２は、画像音声キャプチャーモジュール１３２１と、データ転送モジュール１３２３と、ユーザーインターフェイスモジュール１３２５とを有する。
【００３０】
ユーザーインターフェイスモジュール１３２５は、ユーザーがパーソナルコンピューター２００を介してプロジェクター１００の操作や設定ができる操作環境を提供する。具体的には、ユーザーインターフェイスモジュール１３２５は、画像表示部２５０にプロジェクター操作用インターフェイス画像２５２を表示させ、プロジェクター操作用インターフェイス画像２５２を介したユーザーの操作を受け付ける。
【００３１】
画像音声キャプチャーモジュール１３２１は、パーソナルコンピューター２００の画像表示部２５０に表示される画像の画像データや音声出力部２６０から出力される音声の音声データをキャプチャーする。なお、画像音声キャプチャーモジュール１３２１は、画像データのキャプチャーに際して、プロジェクター操作用インターフェイス画像２５２を除いた表示画像をキャプチャーするものとしても良い。
【００３２】
データ転送モジュール１３２３は、ユーザーインターフェイスモジュール１３２５が受け付けたユーザーの操作内容や、画像音声キャプチャーモジュール１３２１がキャプチャーしたデータに基づいて、プロジェクター１００に転送するためのデータを生成する。また、データ転送モジュール１３２３は、パーソナルコンピューター２００からプロジェクター１００へのデータ信号の送信を実行する。
【００３３】
図４（Ｂ）は、データ転送モジュール１３２３がプロジェクター１００へと送信するデータである転送データ１０の構成を説明するための説明図である。転送データ１０には、パーソナルコンピューター２００においてキャプチャーされた画像データ１１と音声データ１３とが含まれる。また、転送データ１０には、音声フラグ１５が含まれる。音声フラグ１５とは、転送データ１０に含まれる音声データ１３の使用の可否をプロジェクター１００に指示するための変数である。音声フラグ１５の設定および音声フラグ１５に応じたプロジェクター１００による音声出力については後述する。なお、転送データ１０には、他のデータやフラグ、プロジェクター１００に対する指令などが含まれるものとしても良い。
【００３４】
図５は、本実施例の画像音声処理システム１０００において実行される画像音声処理の処理手順を示すフローチャートである。ステップＳ１０では、プロジェクター１００にパーソナルコンピューター２００が接続されたときの接続処理が実行される。具体的には、プロジェクター１００は、パーソナルコンピューター２００に対して、自身をＣＤ−ＲＯＭなどの記憶デバイスとして認識させ、ＲＯＭ１３０に格納されたＰＣ用データ転送プログラム１３２を自動実行（オートラン）させる。ＰＣ用データ転送プログラム１３２は、パーソナルコンピューター２００の画像表示部２５０にプロジェクター操作用インターフェイス画像２５２（図３）を表示させ、パーソナルコンピューター２００を介したユーザーの操作の受付を開始する。ところで、このとき、プロジェクター１００には、音声再生装置３００が接続されており、プロジェクター１００に対して音声信号の供給が開始されているものとする。
【００３５】
ステップＳ２０では、パーソナルコンピューター２００に表示されたプロジェクター操作用インターフェイス画像２５２を介して、プロジェクター１００による投写表示処理および音声出力処理のための、ユーザーによる設定操作を受け付ける。このとき、ユーザーは、プロジェクター１００の音声出力処理に、パーソナルコンピューター２００から送信された音声データを使用するか、あるいは、音声再生装置３００から取得した音声信号を使用するか、を設定することができる。
【００３６】
この設定に応じて、ＰＣ用データ転送プログラム１３２は、図４（Ｂ）で説明した転送データ１０の音声フラグ１５の値を設定する。本実施例では、ＰＣ用データ転送プログラム１３２は、パーソナルコンピューター２００からの音声データを使用して音声出力をする場合には、音声フラグ１５を「ＯＮ」（設定値：１）に設定する。また、音声再生装置３００からのアナログ音声信号を使用して音声出力をする場合には、音声フラグ１５を「ＯＦＦ」（設定値：０）に設定する。なお、ステップＳ２０では、ユーザーは、投写画像のズーム倍率や画質、出力音声の出力レベルや音質などを設定できるものとしても良い。
【００３７】
ステップＳ３０では、ユーザーのプロジェクター操作用インターフェイス画像２５２を介した指示に従って、パーソナルコンピューター２００から、転送データ１０のプロジェクター１００への送信が開始される。プロジェクター１００は、転送データ１０を受信すると、転送データ１０に含まれる音声フラグ１５の設定値に応じて、以下の画像音声処理を選択的に実行する（ステップＳ４０）。
【００３８】
即ち、音声フラグ１５が「ＯＮ」のときには、プロジェクター１００は、パーソナルコンピューター２００においてキャプチャーされた画像データ１１および音声データ１３を使用して投写表示処理および音声出力処理を実行する（ステップＳ５０）。また、音声フラグ１５が「ＯＦＦ」のときには、プロジェクター１００は、パーソナルコンピューター２００においてキャプチャーされた画像データ１１を使用して投写表示処理を実行するとともに、音声再生装置３００が出力したアナログ音声信号を使用して音声出力処理を実行する（ステップＳ６０）。
【００３９】
このように、本実施例の画像音声処理システム１０００によれば、ユーザーの設定により、パーソナルコンピューター２００からのキャプチャー画像の投写表示に、音声再生装置３００からの音声信号に基づく音声出力を組み合わせることができる。従って、例えば、パーソナルコンピューター２００がほぼ無音の状態で画像表示している場合であっても、プロジェクター１００の投写画像には、音楽や効果音などの音声情報を付加することができる。即ち、この画像音声処理システム１０００を用いれば、例えば会議やプレゼンテーションなどにおいて、音声再生装置３００からの音声を付加した、パーソナルコンピューター２００のキャプチャー画像の効果的な投写表示が可能となる。
【００４０】
B．第２実施例：
図６（Ａ）は、本発明の第２実施例としての画像音声処理システムにおいて、パーソナルコンピューター２００において実行されるＰＣ用データ転送プログラム１３２Ａの構成を示す説明図である。図６（Ａ）は、無音検出モジュール１３２７が追加されている点以外は図４（Ａ）とほぼ同じである。なお、第２実施例における画像音声処理システムの他の構成は、第１実施例で説明した画像音声処理システム１０００と同様である。
【００４１】
ＰＣ用データ転送プログラム１３２Ａの無音検出モジュール１３２７は、パーソナルコンピューター２００が音声出力をしていない無音の状態であるか否かを検出する。具体的には、無音検出モジュール１３２７は、画像音声キャプチャーモジュール１３２１がキャプチャーする音声データを監視する。そして、予め設定された所定の時間だけキャプチャーされた音声データが無音を表している場合には、無音検出モジュール１３２７は、パーソナルコンピューター２００が無音の状態であると判定する。
【００４２】
図６（Ｂ）は、ＰＣ用データ転送プログラム１３２Ａがプロジェクター１００へと送信する転送データ１０Ａの構成を示す説明図である。図６（Ｂ）は、音声フラグ１５に換えて、音声フラグ１５Ａが設けられている点以外は、図４（Ｂ）とほぼ同じである。無音検出モジュール１３２７は、パーソナルコンピューター２００の無音状態を検出した場合には、それ以降送信される転送データ１０Ａに含まれる音声フラグ１５Ａを「ＳＩＬＥＮＴ」（設定値：２）に設定する。即ち、第２実施例における音声フラグ１５Ａは、音声データ１３の使用の可否を設定するための変数であるとともに、音声データ１３の内容に関する情報を含む音声情報でもある。なお、無音検出モジュール１３２７は、その後、パーソナルコンピューター２００の出力音声を検出した場合には、音声フラグ１５Ａを「ＳＩＬＥＮＴ」から「ＯＮ」に再設定するものとしても良い。
【００４３】
音声フラグ１５Ａが「ＳＩＬＥＮＴ」である転送データ１０Ａを受信したプロジェクター１００は、画像データ１１を用いた投写表示処理とともに、音声再生装置３００からのアナログ音声信号による音声出力処理を実行する（図５のステップＳ４０，Ｓ６０）。即ち、第２実施例におけるプロジェクター１００では、制御部１１２が、音声フラグ１５Ａに基づいて、パーソナルコンピューター２００が無音状態であるか否かの判定をする判定部としても機能しているものと解釈することもできる。
【００４４】
このように、第２実施例の画像音声処理システムによれば、パーソナルコンピューター２００の無音状態が一定時間継続される場合には、プロジェクター１００は、音声再生装置３００からの音声信号に基づく音声出力処理を実行する。従って、無音のまま投写画像が表示されることを自動的に回避することができ、画像音声処理システムの利便性を向上させることができる。
【００４５】
C．第３実施例：
図７（Ａ）は、本発明の第３実施例としての画像音声処理システムに用いられるパーソナルコンピューター２００Ｂの内部構成を示すブロック図である。図７（Ｂ）は、ＰＣ用データ転送プログラム１３２に換えて、再生データ作成プログラム１３４が図示されている点と、画像表示部２５０のプロジェクター操作用インターフェイス画像２５２が省略されている点以外は、図３とほぼ同じである。なお、第３実施例における画像音声処理システムの構成は、以下に説明する点以外は、第２実施例における画像音声処理システムの構成と同様である。
【００４６】
図７（Ｂ）は、再生データ作成プログラム１３４の構成を説明するための説明図である。再生データ作成プログラム１３４は、プロジェクター１００との間の接続が確立される前のパーソナルコンピューター２００Ｂに予め格納されており、ユーザーが任意のタイミングで、パーソナルコンピューター２００に実行させることができる。再生データ作成プログラム１３４は、データ作成モジュール１３４１と、プロジェクター接続モジュール１３４３とを有する。
【００４７】
データ作成モジュール１３４１は、プロジェクター１００に投写表示および音声出力させるためのデータ（以後、「再生データ」と呼ぶ）を生成する。より具体的には、データ作成モジュール１３４１は、パーソナルコンピューター２００とプロジェクター１００との間の接続が確立される前に、ユーザーの指示に従って、当該再生データを生成する。
【００４８】
プロジェクター接続モジュール１３４３は、ユーザーからの指示に従って、パーソナルコンピューター２００とプロジェクター１００との間の接続を確立する。また、プロジェクター接続モジュール１３４３は、データ作成モジュール１３４１によって生成された再生データをプロジェクター１００に転送するとともに、プロジェクター１００に当該再生データに基づく投写表示処理および音声出力処理を実行させる。
【００４９】
図８は、再生データ作成プログラム１３４によって生成される再生データ２０を説明するための説明図である。なお、図８には、プロジェクター１００に送信される一連の再生データ２０のうち、画像の内容が変わるごとの再生データ２０ａ，２０ｂ，２０ｃを模式的に図示してある。また、図８には、各再生データ２０ａ，２０ｂ，２０ｃが表す画像の内容をそれぞれ、画像Ｉｍ１，Ｉｍ２，Ｉｍ３として模式的に図示してある。
【００５０】
再生データ２０は、図４（Ｂ）で説明した転送データ１０と同様に、画像データ１１と、音声データ１３と、音声フラグ１５とを有する。プロジェクター１００は、各再生データ２０ａ、２０ｂ，２０ｃの画像データ１１が表す画像Ｉｍ１，Ｉｍ２，Ｉｍ３を投写表示する際に、対応する音声データ１３が表す音声を同時に出力する。ただし、音声フラグ１５が「ＯＦＦ」に設定されている場合には、音声データ１３が表す音声に換えて、音声再生装置３００から取得したアナログ音声信号に基づく音声を出力する。
【００５１】
従って、図８に示す再生データ２０の例では、プロジェクター１００は、画像Ｉｍ１を投写表示しているときには、再生データ２０ａの音声データ１３に基づいて音声を出力する。また、プロジェクター１００は、投写画像が画像Ｉｍ１から画像Ｉｍ２に切り替わったときには、再生データ２０ｂに含まれる音声データ１３は使用せず、音声再生装置３００から取得するアナログ音声信号が表す音声を出力する。さらに、プロジェクター１００は、投写画像が画像Ｉｍ３に切り替わったときに、再生データ２０ｃに含まれる音声データ１３に基づいて音声を出力する。
【００５２】
このように、第３実施例の画像表示システムによれば、ユーザーは予め、プロジェクター１００に投写表示処理および音声出力処理をさせるための再生データ２０を作成しておくことができる。また、その再生データ２０において、音声出力処理に使用される音声信号の供給源を音声フラグ１５によって予め設定しておくことができる。従って、画像表示システムにおけるユーザーの利便性を向上させることができる。
【００５３】
D.第４実施例：
図９は、本発明の第４実施例としての画像音声処理システムに用いられるプロジェクター１００Ｃの内部構成を示すブロック図である。図９は、無音信号判定部１５７が設けられている点以外は、図２とほぼ同じである。なお、第４実施例における他の構成は、第１実施例で説明したものとほぼ同じである。
【００５４】
このプロジェクター１００Ｃでは、映像音声処理部１１４において処理された音声データ１３は、無音信号判定部１５７を経由して音声出力部１５５へと送信される。その際に、無音信号判定部１５７は、受信した音声データ１３に基づいて、パーソナルコンピューター２００が無音の状態であるか否かを判定する。具体的には、無音信号判定部１５７は、音声データ１３の内容が無音である場合や、連続して受信した音声データ１３の内容が一定時間の継続的な無音状態を表している場合に、パーソナルコンピューター２００が無音状態であると判定するものとしても良い。
【００５５】
そして、無音信号判定部１５７は、音声データ１３が無音を表していると判定した場合には、音声出力部１５５に、音声再生装置３００からのアナログ音声信号を用いた音声出力処理を実行させる。なお、ユーザーは、音声フラグ１５による音声データ１３の使用の可否の設定を、無音信号判定部１５７による判定よりも優先させるようにプロジェクター１００Ｃに予め設定しておくことができるものとしても良い。具体的には、例えば、ステップＳ２０（図５）の処理において、パーソナルコンピューター２００を介してそうした設定をできるものとしても良いし、プロジェクター２００にそうした設定操作を行うための操作部が設けられているものとしても良い。
【００５６】
このように、第４実施例の画像音声処理システムによれば、パーソナルコンピューター２００の無音状態が検出された場合に、プロジェクター１００Ｃは、自動的に、音声再生装置３００からのアナログ音声信号に基づく音声出力処理を実行する。従って、無音のまま投写画像が表示されることを回避することができ、画像音声処理システムの利便性を向上させることができる。
【００５７】
E．変形例：
なお、この発明は上記の実施例や実施形態に限られるものではなく、その要旨を逸脱しない範囲において種々の態様において実施することが可能であり、例えば次のような変形も可能である。
【００５８】
E1．変形例１：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、プロジェクター１００の映像音声処理部１１４の機能の一部または全部を画像処理専用のマイクロプロセッサーによって実行するようにすることもできる。また、プロジェクター１００の制御部１１２の機能の一部を、映像音声処理部１１４や他の構成部に実行させることもでき、パーソナルコンピューター２００が有していた機能の一部を、プロジェクター１００において実行させることもできる。
【００５９】
E2．変形例２：
上記実施例において、画像音声処理システムは、画像音声処理装置としてプロジェクター１００を備えていた。しかし、画像音声処理装置としてはプロジェクター１００に限られず、画像を表示するとともに音声を出力することができる種々のタイプの画像音声処理装置に本発明を適用することが可能である。例えば、画像音声処理装置としては、音声出力部を有するリアプロジェクションテレビや液晶テレビ、プラズマテレビなどを採用することもできる。
【００６０】
E3．変形例３：
上記実施例において、プロジェクター１００は、外部の２つの異なる信号供給源として、パーソナルコンピューター２００と、音声再生装置３００と接続されていた。しかし、プロジェクター１００は、これらに換えて、他の異なる２つの信号供給源と接続されるものとしても良い。例えば、パーソナルコンピューター２００に換えて、画像音声再生装置（例えばＤＶＤプレイヤーなど）から画像信号および音声信号を取得するものとしても良い。また、プロジェクター１００は、第１のパーソナルコンピューターから画像信号および音声信号を取得するとともに、第２のパーソナルコンピューターから音声信号を取得するものとしても良い。
【００６１】
E4．変形例４：
上記実施例において、プロジェクター１００とパーソナルコンピューター２００とは、ＵＳＢ接続によって接続されていた。しかし、プロジェクター１００とパーソナルコンピューター２００とは、他の接続方式によって接続されるものとしても良い。例えば、プロジェクター１００とパーソナルコンピューター２００とは、無線ＬＡＮを介して接続されるものとしても良い。
【００６２】
E5．変形例５：
上記実施例において、プロジェクター１００は、音声再生装置３００からアナログ音声信号を取得していた。しかし、プロジェクター１００は、音声再生装置３００からディジタル音声信号を取得するものとしても良い。
【００６３】
E6．変形例６：
上記実施例において、プロジェクター１００は、転送データ１０や再生データ２０に含まれる音声フラグ１５の設定値に応じて、出力音声の信号供給源を切り替えていた（図５のステップＳ４０〜Ｓ６０）。しかし、プロジェクター１００は、音声フラグ１５の設定値に換えて、他の条件に従って、出力音声の信号供給源を切り替えるものとしても良い。例えば、プロジェクター１００は、パーソナルコンピューター２００からの信号に基づく投写表示および音声出力の実行中に、音声再生装置３００の接続を検出した場合に、音声再生装置３００からの音声信号に基づく音声出力に切り替えるものとしても良い。なお、この場合には、アナログ音声端子部１４３に、音声再生装置３００の接続を検出するためのセンサーが設けられていることが好ましい。また、プロジェクター１００は、音声再生装置３００からの音声信号の出力を検出したときに、パーソナルコンピューター２００からの音声データに換えて、音声再生装置３００からの音声信号の使用を開始するものとしても良い。
【００６４】
E7．変形例７：
上記実施例において、画像音声処理システム１０００は、２つの異なる信号供給源として、パーソナルコンピューター２００と音声再生装置３００とを備えていた。しかし、画像音声処理システム１０００は、さらに複数の異なる信号供給源を有しているものとしても良く、それぞれの信号供給源を音声出力のための信号供給源として選択できるものとしても良い。
【００６５】
E8．変形例８：
上記実施例において、プロジェクター１００は、液晶パネル１６３によって投写光を変調していた。しかし、プロジェクター１００は、液晶パネル１６３に換えて、他の光変調手段を備えているものとしても良い。例えば、プロジェクター１００は、ディジタル・マイクロミラー・デバイス（Digital Micromirror Device）を備えているものとしても良い。
【００６６】
E9．変形例９：
上記第１実施例および第２実施例では、ＰＣ用データ転送プログラム１３２を、プロジェクター１００からパーソナルコンピューター２００に転送して実行させることにより、画像信号および音声信号の送受信を実行していた。しかし、ＰＣ用データ転送プログラムは、パーソナルコンピューター２００が、プロジェクター１００に接続される前から、パーソナルコンピューター２００に予め格納されているものとしても良い
【符号の説明】
【００６７】
１０，１０Ａ…転送データ
１１…画像データ
１３…音声データ
１５，１５Ａ…音声フラグ
２０，２０ａ，２０，２０ｃ…再生データ
１００…プロジェクター
１０１…内部バス
１１０…ＣＰＵ
１１２…制御部
１１４…映像音声処理部
１２０…ＲＡＭ
１３０…ＲＯＭ
１３２，１３２Ａ…ＰＣ用データ転送プログラム
１３２１…画像音声キャプチャーモジュール
１３２３…データ転送モジュール
１３２５…ユーザーインターフェイスモジュール
１３２７…無音検出モジュール
１３４…再生データ作成プログラム
１３４１…データ作成モジュール
１３４３…プロジェクター接続モジュール
１４０…ＵＳＢコントローラー
１４３…アナログ音声端子部
１５１…投写光学系駆動部
１５３…液晶パネル駆動部
１５５…音声出力部
１５７…無音信号判定部
１６１…照明光学系
１６３…液晶パネル
１６５…投写光学系
１７０…スピーカー部
２００，２００Ｂ…パーソナルコンピューター
２０１…ＵＳＢケーブル
２０２…ＵＳＢ接続端子
２０３…内部バス
２１０…ＣＰＵ
２２０…ＲＡＭ
２３０…ＲＯＭ
２４０…ＵＳＢコントローラー
２５０…画像表示部
２５２…プロジェクター操作用インターフェイス画像
２６０…音声出力部
２７０…操作部
３００…音声再生装置
３０１…音声ケーブル
４００…投写スクリーン
１０００…画像音声処理システム
Ｉｍ１，Ｉｍ２，Ｉｍ３…画像
【図１】
2011128942.tif 000003
【図２】
2011128942.tif 000004
【図３】
2011128942.tif 000005
【図４】
2011128942.tif 000006
【図５】
2011128942.tif 000007
【図６】
2011128942.tif 000008
【図７】
2011128942.tif 000009
【図８】
2011128942.tif 000010
【図９】
2011128942.tif 000011